(57)【要約】【課題】  Ｘ線撮影を伴った回診を円滑に進めるための撮影情報管理システム及びこれに用いられる移動型Ｘ線撮影装置を提供することを目的とする。【解決手段】  集中管理装置１の表示制御部２０により複数の移動型Ｘ線撮影装置２における、回診順番情報および回診予定時刻情報と、現在回診状況情報とを対比させて管理装置表示部１１に表示されるので、この管理装置表示部１１の表示を見ることで、複数の移動型Ｘ線撮影装置２における現在の回診状況を把握することができ、複数の移動型Ｘ線撮影装置２のうち、回診終了状態の移動型Ｘ線撮影装置２に、回診が計画より遅れている移動型Ｘ線撮影装置２の回診を振り分けるように回診予定計画を変更することができ、複数ある移動型Ｘ線撮影装置２を有効に活用し、複数ある移動型Ｘ線撮影装置２のうち、一部の移動型Ｘ線撮影装置２による回診の終了が遅くなることを減らすことができる。【選択図】        図２
2006340788.tif 000002
【特許請求の範囲】
【請求項１】
回診に関連する回診情報を集中管理する集中管理装置と、移動が可能であり、Ｘ線撮影を行う複数の移動型Ｘ線撮影装置と、を備え、
前記集中管理装置と前記複数の移動型Ｘ線撮影装置とは、無線により互いに情報を送受信する回診情報通信手段をそれぞれ備え、
前記回診情報は、患者に関連する情報である患者情報と、前記移動型Ｘ線撮影装置ごとに定められる、回診予定患者がＸ線撮影を受ける順番である回診順番情報と、回診予定患者それぞれについての回診予定開始時刻と回診予定終了時刻とを示す回診予定時刻情報と、を含み、
前記集中管理装置は、
前記回診情報を入力可能とする入力手段と、
前記入力手段により入力された回診情報を記憶する第１の回診情報記憶手段と、
前記第１の回診情報記憶手段に記憶されている回診情報を表示する管理装置表示手段と、
前記第１の回診情報記憶手段に記憶されている患者情報と回診順番情報と回診予定時刻情報とを関係する前記複数の移動型Ｘ線撮影装置に、前記回診情報通信手段を介して、送信する制御を行う第１の回診情報制御手段と、
を備え、
前記複数の移動型Ｘ線撮影装置は、
前記集中管理装置から送信された患者情報と回診順番情報と回診予定時刻情報とを記憶する第２の回診情報記憶手段と、
前記第２の回診情報記憶手段に記憶されている患者情報と回診順番情報と回診予定時刻情報とを表示する撮影装置表示手段と、
当該移動型Ｘ線撮影装置における回診予定患者の回診順番ごとの回診状況を示す回診状況情報を入力することが可能な回診状況入力手段と、
前記回診状況入力手段で入力された回診状況情報を記憶、またはこの回診状況情報を現在の時刻に関連づけて現在回診状況情報として記憶する回診状況記憶手段と、
前記回診状況記憶手段に記憶されている、回診状況情報または現在回診状況情報を、前記回診情報通信手段を介して、前記集中管理装置に送信する制御を行う第２の回診情報制御手段と、
を備え、
前記集中管理装置は、
前記複数の移動型Ｘ線撮影装置から送信された回診状況情報を現在の時刻に関連づけて現在回診状況情報として記憶、または前記複数の移動型Ｘ線撮影装置から送信された現在回診状況情報を記憶する現在情報記憶手段と、
前記第１の回診情報記憶手段に記憶されている回診順番情報および回診予定時刻情報と、前記現在情報記憶手段に記憶されている現在回診状況情報とを対比させて前記管理装置表示手段に表示させる制御を行う表示制御手段と、
を備えていることを特徴とする撮影情報管理システム。
【請求項２】
請求項１に記載の撮影情報管理システムにおいて、
前記複数の移動型Ｘ線撮影装置の現在の位置を監視する監視手段を備え、
前記回診情報は、回診予定患者が存在する場所から次の回診予定患者が存在する場所へ前記移動型Ｘ線撮影装置を移動するために必要な時間を示す移動時間情報を含み、
前記集中管理装置は、
前記監視手段で監視している複数の移動型Ｘ線撮影装置の現在位置を示す現在位置情報を現在の時刻に関連づけて記憶する前記現在情報記憶手段と、
前記現在情報記憶手段に記憶されている現在位置情報と、前記第１の回診情報記憶手段に記憶されている移動時間情報とを前記管理装置表示手段に表示させる制御を行う表示制御手段と、
を備えていることを特徴とする撮影情報管理システム。
【請求項３】
請求項１または請求項２に記載の撮影情報管理システムにおいて、
前記回診情報は、前記移動型Ｘ線撮影装置でＸ線撮影を行う撮影条件に関連する情報である撮影条件情報を含み、
前記第１の回診情報制御手段は、前記第１の回診情報記憶手段に記憶されている撮影条件情報を関係する前記複数の移動型Ｘ線撮影装置に、前記回診情報通信手段を介して、送信する制御を行い、
前記第２の回診情報記憶手段は、前記集中管理装置から送信された撮影条件情報を記憶し、
前記撮影装置表示手段は、前記第２の回診情報記憶手段に記憶されている撮影条件情報を表示する
ことを特徴とする撮影情報管理システム。
【請求項４】
回診に関連する回診情報を集中管理する集中管理装置と、移動が可能であり、Ｘ線撮影を行う複数の移動型Ｘ線撮影装置と、を備え、
前記集中管理装置と前記複数の移動型Ｘ線撮影装置とは、無線により互いに情報を送受信する回診情報通信手段をそれぞれ備え、
前記回診情報は、患者に関連する情報である患者情報と、前記移動型Ｘ線撮影装置ごとに定められる、回診予定患者がＸ線撮影を受ける順番である回診順番情報と、回診予定患者それぞれについての回診予定開始時刻と回診予定終了時刻とを示す回診予定時刻情報と、を含み、
前記集中管理装置は、
前記回診情報を入力可能とする入力手段と、
前記入力手段により入力された回診情報を記憶する第１の回診情報記憶手段と、
前記第１の回診情報記憶手段に記憶されている患者情報と回診順番情報と回診予定時刻情報とを関係する前記複数の移動型Ｘ線撮影装置に、前記回診情報通信手段を介して、送信する制御を行う第１の回診情報制御手段と、
を備え、
前記複数の移動型Ｘ線撮影装置は、
前記集中管理装置から送信された患者情報と回診順番情報と回診予定時刻情報とを記憶する第２の回診情報記憶手段と、
前記第２の回診情報記憶手段に記憶されている患者情報と回診順番情報と回診予定時刻情報とを表示する撮影装置表示手段と、
当該移動型Ｘ線撮影装置における回診予定患者の回診順番ごとの回診状況を示す回診状況情報を入力することが可能な回診状況入力手段と、
前記回診状況入力手段で入力された回診状況情報を記憶、またはこの回診状況情報を現在の時刻に関連づけて現在回診状況情報として記憶する回診状況記憶手段と、
前記回診状況記憶手段に記憶されている、回診状況情報または現在回診状況情報を、前記回診情報通信手段を介して、前記集中管理装置に送信する制御を行う第２の回診情報制御手段と、
を備え、
前記集中管理装置は、
前記複数の移動型Ｘ線撮影装置から送信された回診状況情報を現在の時刻に関連づけて現在回診状況情報として記憶、または前記複数の移動型Ｘ線撮影装置から送信された現在回診状況情報を記憶する現在情報記憶手段と、
前記第１の回診情報記憶手段に記憶されている回診情報と前記現在情報記憶手段に記憶されている現在回診状況情報とに基づいて、前記第１の回診情報記憶手段に記憶されている前記複数の移動型Ｘ線撮影装置のそれぞれに対応する回診順番情報と回診予定時刻情報とを変更する制御を行う回診変更制御手段と、
前記第１の回診情報記憶手段に記憶されている回診順番情報と回診予定時刻情報とが変更されたことに基づいて、この回診順番情報と回診予定時刻情報と患者情報とを、関係する前記複数の移動型Ｘ線撮影装置に、前記回診情報通信手段を介して、送信する制御を行う前記第１の回診情報制御手段と、
を備えていることを特徴とする撮影情報管理システム。
【請求項５】
請求項４に記載の撮影情報管理システムにおいて、
前記複数の移動型Ｘ線撮影装置の現在の位置を監視する監視手段を備え、
前記回診情報は、回診予定患者が存在する場所から次の回診予定患者が存在する場所へ前記移動型Ｘ線撮影装置を移動するために必要な時間を示す移動時間情報を含み、
前記集中管理装置は、
前記監視手段で監視している複数の移動型Ｘ線撮影装置の現在の位置を示す現在位置情報を現在の時刻に関連づけて記憶する前記現在情報記憶手段と、
前記第１の回診情報記憶手段に記憶されている回診情報と、前記現在情報記憶手段に記憶されている現在位置情報と現在回診状況情報とに基づいて、前記第１回診情報記憶手段に記憶されている前記複数の移動型Ｘ線撮影装置のそれぞれに対応する回診順番情報と回診予定時刻情報とを変更する制御を行う回診変更制御手段と、
を備えていることを特徴とする撮影情報管理システム。
【請求項６】
請求項４または請求項５に記載の撮影情報管理システムにおいて、
前記回診情報は、前記移動型Ｘ線撮影装置でＸ線撮影を行う撮影条件に関連する情報である撮影条件情報を含み、
前記第１の回診情報制御手は、前記第１の回診情報記憶手段に記憶されている撮影条件情報を関係する前記複数の移動型Ｘ線撮影装置に、前記回診情報通信手段を介して、送信する制御を行い、
前記第２の回診情報記憶手段は、前記集中管理装置から送信された撮影条件情報を記憶し、
前記撮影装置表示手段は、前記第２の回診情報記憶手段に記憶されている撮影条件情報を表示し、
前記第１の回診情報制御手段は、前記第１の回診情報記憶手段に記憶されている回診順番情報と回診予定時刻情報とが変更されたことに基づいて、撮影条件情報を関係する前記複数の移動型Ｘ線撮影装置に、前記回診情報通信手段を介して、送信する制御を行う
ことを特徴とする撮影情報管理システム。
【請求項７】
請求項１、２、４、５のいずれか一つに記載の撮影情報管理システムに用いられる移動型Ｘ線撮影装置において、
前記集中管理装置から送信された患者情報と回診順番情報と回診予定時刻情報とを記憶する第２の回診情報記憶手段と、
前記第２の回診情報記憶手段に記憶されている患者情報と回診順番情報と回診予定時刻情報とを表示する撮影装置表示手段と、
当該移動型Ｘ線撮影装置における回診予定患者の回診順番ごとの回診状況を示す回診状況情報を入力することが可能な回診状況入力手段と、
前記回診状況入力手段で入力された回診状況情報を記憶、またはこの回診状況情報を現在の時刻に関連づけて現在回診状況情報として記憶する回診状況記憶手段と、
前記回診状況記憶手段に記憶されている、回診状況情報または現在回診状況情報を、前記回診情報通信手段を介して、前記集中管理装置に送信する制御を行う第２の回診情報制御手段と、
を備えていることを特徴とする移動型Ｘ線撮影装置。
【請求項８】
請求項３または請求項６に記載の撮影情報管理システムに用いられる移動型Ｘ線撮影装置において、
前記集中管理装置から送信された患者情報と撮影条件情報と回診順番情報と回診予定時刻情報とを記憶する第２の回診情報記憶手段と、
前記第２の回診情報記憶手段に記憶されている患者情報と撮影条件情報と回診順番情報と回診予定時刻情報とを表示する撮影装置表示手段と、
当該移動型Ｘ線撮影装置における回診予定患者の回診順番ごとの回診状況を示す回診状況情報を入力することが可能な回診状況入力手段と、
前記回診状況入力手段で入力された回診状況情報を記憶、またはこの回診状況情報を現在の時刻に関連づけて現在回診状況情報として記憶する回診状況記憶手段と、
前記回診状況記憶手段に記憶されている、回診状況情報または現在回診状況情報を、前記回診情報通信手段を介して、前記集中管理装置に送信する制御を行う第２の回診情報制御手段と、
を備えていることを特徴とする移動型Ｘ線撮影装置。
【発明の詳細な説明】
【技術分野】
【０００１】
この発明は、病院などで行われる回診に関する撮影情報管理システム及びこれに用いられる移動型Ｘ線撮影装置に係り、特に、複数ある移動型Ｘ線撮影装置のうち、一部の移動型Ｘ線撮影装置による回診の終了が遅くなることを減らし、Ｘ線撮影を伴った回診を円滑に進めるための技術に関する。
【背景技術】
【０００２】
病院内、特に患者が入院している病室などでＸ線撮影を伴う回診を必要とする場合には、移動可能な移動型Ｘ線撮影装置を病室まで移動させ、回診が行われる。このような回診を行う場合において、移動型Ｘ線撮影装置は、患者情報、撮影情報などの情報を管理している撮影情報管理装置（ホストコンピュータなど）から患者情報、撮影情報に基づいた撮影指示を受け、その撮影指示に基づいてＸ線撮影が実施される。さらに、移動型Ｘ線撮影装置はＸ線撮影で得たＸ線撮影データなどを撮影情報管理装置へ送り、撮影情報管理装置はこのＸ線撮影データを保管する（特許文献１参照）。
【特許文献１】特開２００４−３３７２６４号公報
【発明の開示】
【発明が解決しようとする課題】
【０００３】
しかしながら、従来の撮影情報管理システム及びこれに用いられる移動型Ｘ線撮影装置では、次のような問題がある。すなわち、移動型Ｘ線撮影装置を回診に用いる場合に、種々の要因、例えば回診時に被検者が不在である、Ｘ線撮影を行う操作者の経験が異なるなどの要因により、回診に費やす時間が変化し、計画された回診時間と実際の回診時間とではズレが生じる場合がある。ここで、複数の移動型Ｘ線撮影装置を用いて、それぞれ同じ時間ぐらいに回診が終了するように計画された場合、複数の移動型Ｘ線撮影装置それぞれの回診状況は異なったものとなり、例えば、一方の移動型Ｘ線撮影装置が計画どおりに回診が全て終了した時点でも、他方の移動型Ｘ線撮影装置では、計画された回診を終了していないなど、回診が計画より遅れている状況が生じ、この他方の移動型Ｘ線撮影装置は、計画された回診が終了するまで、計画どおりに回診を行うことになる。つまり、回診していない状態である回診終了状態などの移動型Ｘ線撮影装置を有効に回診に活用することができず、複数ある移動型Ｘ線撮影装置のうち、一部の移動型Ｘ線撮影装置による回診の終了が遅くなる場合があるという問題がある。
【０００４】
この発明は、このような事情に鑑みてなされたものであって、複数ある移動型Ｘ線撮影装置のうち、一部の移動型Ｘ線撮影装置による回診の終了が遅くなることを減らし、Ｘ線撮影を伴った回診を円滑に進めるための撮影情報管理システム及びこれに用いられる移動型Ｘ線撮影装置を提供することを目的とする。
【課題を解決するための手段】
【０００５】
この発明は、このような目的を達成するために、次のような構成をとる。
すなわち、請求項１に記載の発明は、回診に関連する回診情報を集中管理する集中管理装置と、移動が可能であり、Ｘ線撮影を行う複数の移動型Ｘ線撮影装置と、を備え、前記集中管理装置と前記複数の移動型Ｘ線撮影装置とは、無線により互いに情報を送受信する回診情報通信手段をそれぞれ備え、前記回診情報は、患者に関連する情報である患者情報と、前記移動型Ｘ線撮影装置ごとに定められる、回診予定患者がＸ線撮影を受ける順番である回診順番情報と、回診予定患者それぞれについての回診予定開始時刻と回診予定終了時刻とを示す回診予定時刻情報と、を含み、前記集中管理装置は、前記回診情報を入力可能とする入力手段と、前記入力手段により入力された回診情報を記憶する第１の回診情報記憶手段と、前記第１の回診情報記憶手段に記憶されている回診情報を表示する管理装置表示手段と、前記第１の回診情報記憶手段に記憶されている患者情報と回診順番情報と回診予定時刻情報とを関係する前記複数の移動型Ｘ線撮影装置に、前記回診情報通信手段を介して、送信する制御を行う第１の回診情報制御手段と、を備え、前記複数の移動型Ｘ線撮影装置は、前記集中管理装置から送信された患者情報と回診順番情報と回診予定時刻情報とを記憶する第２の回診情報記憶手段と、前記第２の回診情報記憶手段に記憶されている患者情報と回診順番情報と回診予定時刻情報とを表示する撮影装置表示手段と、当該移動型Ｘ線撮影装置における回診予定患者の回診順番ごとの回診状況を示す回診状況情報を入力することが可能な回診状況入力手段と、前記回診状況入力手段で入力された回診状況情報を記憶、またはこの回診状況情報を現在の時刻に関連づけて現在回診状況情報として記憶する回診状況記憶手段と、前記回診状況記憶手段に記憶されている、回診状況情報または現在回診状況情報を、前記回診情報通信手段を介して、前記集中管理装置に送信する制御を行う第２の回診情報制御手段と、を備え、前記集中管理装置は、  前記複数の移動型Ｘ線撮影装置から送信された回診状況情報を現在の時刻に関連づけて現在回診状況情報として記憶、または前記複数の移動型Ｘ線撮影装置から送信された現在回診状況情報を記憶する現在情報記憶手段と、前記第１の回診情報記憶手段に記憶されている回診順番情報および回診予定時刻情報と、前記現在情報記憶手段に記憶されている現在回診状況情報とを対比させて前記管理装置表示手段に表示させる制御を行う表示制御手段と、を備えている撮影情報管理システムであることを特徴とするものである。
【０００６】
［作用・効果］請求項１の発明によれば、集中管理装置の表示制御手段により複数の移動型Ｘ線撮影装置における、回診順番情報および回診予定時刻情報と、現在回診状況情報とを対比させて管理装置表示手段に表示させる制御を行うことができるので、回診予定計画者は、この管理装置表示手段の表示を見ることで、複数の移動型Ｘ線撮影装置における現在の回診状況を把握することができる。したがって、複数ある移動型Ｘ線撮影装置のうち、回診していない状態である回診終了状態などの移動型Ｘ線撮影装置に、計画された回診を終了していないなど、回診が計画より遅れている状況の移動型Ｘ線撮影装置の回診を振り分けるように回診予定計画を変更することができ、複数ある移動型Ｘ線撮影装置を有効に活用し、複数ある移動型Ｘ線撮影装置のうち、一部の移動型Ｘ線撮影装置による回診の終了が遅くなることを減らし、Ｘ線撮影を伴った回診を円滑に進めることができる。
【０００７】
また、請求項２の発明は、請求項１に記載の撮影情報管理システムにおいて、前記複数の移動型Ｘ線撮影装置の現在位置を監視する監視手段を備え、前記回診情報は、回診予定患者が存在する場所から次の回診予定患者が存在する場所へ前記移動型Ｘ線撮影装置を移動するために必要な時間を示す移動時間情報を含み、前記集中管理装置は、前記監視手段で監視している複数の移動型Ｘ線撮影装置の現在位置を示す現在位置情報を現在の時刻に関連づけて記憶する前記現在情報記憶手段と、前記現在情報記憶手段に記憶されている現在位置情報と、前記第１の回診情報記憶手段に記憶されている移動時間情報とを前記管理装置表示手段に表示させる制御を行う表示制御手段と、を備えていることを特徴とするものである。
【０００８】
［作用・効果］請求項２の発明によれば、集中管理装置の表示制御手段により現在位置情報と移動時間情報とを管理装置表示手段に表示させる制御を行うことができるので、回診予定計画者は、この管理装置表示手段の表示を見ることで、現在位置情報と移動時間情報とを考慮して回診予定計画を変更することができる。つまり、回診が計画より遅れている状況の移動型Ｘ線撮影装置の回診に費やす時間を少なくした最適な回診予定計画として変更することができる。したがって、移動型Ｘ線撮影装置による回診の終了が遅くなることを減らし、Ｘ線撮影を伴った回診を円滑に進めることができる。
【０００９】
また、請求項３の発明は、請求項１または請求項２に記載の撮影情報管理システムにおいて、前記回診情報は、前記移動型Ｘ線撮影装置でＸ線撮影を行う撮影条件に関連する情報である撮影条件情報を含み、前記第１の回診情報制御手段は、前記第１の回診情報記憶手段に記憶されている撮影条件情報を関係する前記複数の移動型Ｘ線撮影装置に、前記回診情報通信手段を介して、送信する制御を行い、前記第２の回診情報記憶手段は、前記集中管理装置から送信された撮影条件情報を記憶し、前記撮影装置表示手段は、前記第２の回診情報記憶手段に記憶されている撮影条件情報を表示することを特徴とするものである。
【００１０】
［作用・効果］請求項３の発明によれば、集中管理装置の第１の回診情報記憶手段に記憶されている撮影条件情報を移動型Ｘ線撮影装置の第２の回診情報記憶手段で記憶し、さらに、撮影装置表示手段で表示することができるので、回診者は、撮影条件情報などが記載された撮影指示書などを見る必要がなく、また、移動型Ｘ線撮影装置に撮影条件情報を設定するための入力を行う必要がなくなる。つまり、回診者は、移動型Ｘ線撮影装置に撮影条件情報を設定するための手間を省くことができ、さらに、撮影条件情報に基づいた正確な回診（Ｘ線撮影）を実施することができる。
【００１１】
また、請求項４の発明は、回診に関連する回診情報を集中管理する集中管理装置と、移動が可能であり、Ｘ線撮影を行う複数の移動型Ｘ線撮影装置と、を備え、前記集中管理装置と前記複数の移動型Ｘ線撮影装置とは、無線により互いに情報を送受信する回診情報通信手段をそれぞれ備え、前記回診情報は、患者に関連する情報である患者情報と、前記移動型Ｘ線撮影装置ごとに定められる、回診予定患者がＸ線撮影を受ける順番である回診順番情報と、回診予定患者それぞれについての回診予定開始時刻と回診予定終了時刻とを示す回診予定時刻情報と、を含み、前記集中管理装置は、前記回診情報を入力可能とする入力手段と、前記入力手段により入力された回診情報を記憶する第１の回診情報記憶手段と、前記第１の回診情報記憶手段に記憶されている患者情報と回診順番情報と回診予定時刻情報とを関係する前記複数の移動型Ｘ線撮影装置に、前記回診情報通信手段を介して、送信する制御を行う第１の回診情報制御手段と、を備え、前記複数の移動型Ｘ線撮影装置は、前記集中管理装置から送信された患者情報と回診順番情報と回診予定時刻情報とを記憶する第２の回診情報記憶手段と、前記第２の回診情報記憶手段に記憶されている患者情報と回診順番情報と回診予定時刻情報とを表示する撮影装置表示手段と、当該移動型Ｘ線撮影装置における回診予定患者の回診順番ごとの回診状況を示す回診状況情報を入力することが可能な回診状況入力手段と、前記回診状況入力手段で入力された回診状況情報を記憶、またはこの回診状況情報を現在の時刻に関連づけて現在回診状況情報として記憶する回診状況記憶手段と、前記回診状況記憶手段に記憶されている、回診状況情報または現在回診状況情報を、前記回診情報通信手段を介して、前記集中管理装置に送信する制御を行う第２の回診情報制御手段と、を備え、前記集中管理装置は、前記複数の移動型Ｘ線撮影装置から送信された回診状況情報を現在の時刻に関連づけて現在回診状況情報として記憶、または前記複数の移動型Ｘ線撮影装置から送信された現在回診状況情報を記憶する現在情報記憶手段と、前記第１の回診情報記憶手段に記憶されている回診情報と前記現在情報記憶手段に記憶されている現在回診状況情報とに基づいて、前記第１の回診情報記憶手段に記憶されている前記複数の移動型Ｘ線撮影装置のそれぞれに対応する回診順番情報と回診予定時刻情報とを変更する制御を行う回診変更制御手段と、前記第１の回診情報記憶手段に記憶されている回診順番情報と回診予定時刻情報とが変更されたことに基づいて、この回診順番情報と回診予定時刻情報と患者情報とを、関係する前記複数の移動型Ｘ線撮影装置に、前記回診情報通信手段を介して、送信する制御を行う前記第１の回診情報制御手段と、を備えている撮影情報管理システムであることを特徴とするものである。
【００１２】
［作用・効果］請求項４の発明によれば、集中管理装置の回診変更制御手段により回診情報と現在回診状況情報とに基づいて、複数の移動型Ｘ線撮影装置のそれぞれに対応する回診順番情報と回診予定時刻情報とを変更する制御が行われるので、集中管理装置が自動的に、複数の移動型Ｘ線撮影装置における現在の回診状況を把握し、複数ある移動型Ｘ線撮影装置のうち、回診していない状態である回診終了状態などの移動型Ｘ線撮影装置に、計画された回診を終了していないなど、回診が計画より遅れている状況の移動型Ｘ線撮影装置の回診を振り分けるように回診予定計画を変更することができ、複数ある移動型Ｘ線撮影装置を有効に活用し、複数ある移動型Ｘ線撮影装置のうち、一部の移動型Ｘ線撮影装置による回診の終了が遅くなることを減らし、Ｘ線撮影を伴った回診を円滑に進めることができる。
【００１３】
また、請求項５の発明は、請求項４に記載の撮影情報管理システムにおいて、前記複数の移動型Ｘ線撮影装置の現在位置を監視する監視手段を備え、前記回診情報は、回診予定患者が存在する場所から次の回診予定患者が存在する場所へ前記移動型Ｘ線撮影装置を移動するために必要な時間を示す移動時間情報を含み、前記集中管理装置は、前記監視手段で監視している複数の移動型Ｘ線撮影装置の現在位置を示す現在位置情報を現在の時刻に関連づけて記憶する前記現在情報記憶手段と、前記第１の回診情報記憶手段に記憶されている回診情報と、前記現在情報記憶手段に記憶されている現在位置情報と回診状況情報とに基づいて、前記第１の回診情報記憶手段に記憶されている前記複数の移動型Ｘ線撮影装置のそれぞれに対応する回診順番情報と回診予定時刻情報とを変更する制御を行う回診変更制御手段と、を備えていることを特徴とするものである。
【００１４】
［作用・効果］請求項５の発明によれば、集中管理装置の回診変更制御手段により移動時間情報を含む回診情報と現在位置情報と現在回診状況情報とに基づいて、複数の移動型Ｘ線撮影装置のそれぞれに対応する回診順番情報と回診予定時刻情報とを変更する制御が行われるので、集中管理装置は、移動時間情報と現在位置情報を考慮して自動的に回診予定計画を変更することができる。つまり、回診が計画より遅れている状況の移動型Ｘ線撮影装置の回診に費やす時間を少なくした最適な回診予定計画として変更することができる。したがって、移動型Ｘ線撮影装置による回診の終了が遅くなることを減らし、Ｘ線撮影を伴った回診を円滑に進めることができる。
【００１５】
また、請求項６の発明は、請求項４または請求項５に記載の撮影情報管理システムにおいて、前記回診情報は、前記移動型Ｘ線撮影装置でＸ線撮影を行う撮影条件に関連する情報である撮影条件情報を含み、前記第１の回診情報制御手は、前記第１の回診情報記憶手段に記憶されている撮影条件情報を関係する前記複数の移動型Ｘ線撮影装置に、前記回診情報通信手段を介して、送信する制御を行い、前記第２の回診情報記憶手段は、前記集中管理装置から送信された撮影条件情報を記憶し、前記撮影装置表示手段は、前記第２の回診情報記憶手段に記憶されている撮影条件情報を表示し、前記第１の回診情報制御手段は、前記第１の回診情報記憶手段に記憶されている回診順番情報と回診予定時刻情報とが変更されたことに基づいて、撮影条件情報を関係する前記複数の移動型Ｘ線撮影装置に、前記回診情報通信手段を介して、送信する制御を行うことを特徴とするものである。
【００１６】
［作用・効果］請求項６の発明によれば、第１の回診情報記憶手段に記憶されている回診順番情報と回診予定時刻情報とが変更されたことに基づいて、集中管理装置の第１の回診情報記憶手段に記憶されている撮影条件情報を移動型Ｘ線撮影装置の第２の回診情報記憶手段で記憶し、さらに、撮影装置表示手段で表示することができるので、回診者は、撮影条件情報などが記載された撮影指示書などを見る必要がなく、また、移動型Ｘ線撮影装置に撮影条件情報を設定するための入力を行う必要がなくなる。つまり、回診者は、移動型Ｘ線撮影装置に撮影条件情報を設定するための手間を省くことができ、さらに、撮影条件情報に基づいた正確な回診（Ｘ線撮影）を実施することができる。
【００１７】
また、請求項７の発明は、請求項１、２、４、５のいずれか一つに記載の撮影情報管理システムに用いられる移動型Ｘ線撮影装置において、前記集中管理装置から送信された患者情報と回診順番情報と回診予定時刻情報とを記憶する第２の回診情報記憶手段と、前記第２の回診情報記憶手段に記憶されている患者情報と回診順番情報と回診予定時刻情報とを表示する撮影装置表示手段と、当該移動型Ｘ線撮影装置における回診予定患者の回診順番ごとの回診状況を示す回診状況情報を入力することが可能な回診状況入力手段と、前記回診状況入力手段で入力された回診状況情報を記憶、またはこの回診状況情報を現在の時刻に関連づけて現在回診状況情報として記憶する回診状況記憶手段と、前記回診状況記憶手段に記憶されている、回診状況情報または現在回診状況情報を、前記回診情報通信手段を介して、前記集中管理装置に送信する制御を行う第２の回診情報制御手段と、を備えていることを特徴とするものである。
【００１８】
［作用・効果］請求項７の発明によれば、撮影装置表示手段は、集中管理装置から送信された患者情報と回診順番情報と回診予定時刻情報とを表示するので、これらの情報に基づいて回診（Ｘ線撮影）を行うことができる。つまり、回診予定計画が変更された場合でも、変更された回診予定計画に基づいた、回診を円滑に進めることができる。
【００１９】
また、請求項８の発明は、請求項３または請求項６に記載の撮影情報管理システムに用いられる移動型Ｘ線撮影装置において、前記集中管理装置から送信された患者情報と撮影条件情報と回診順番情報と回診予定時刻情報とを記憶する第２の回診情報記憶手段と、前記第２の回診情報記憶手段に記憶されている患者情報と撮影条件情報と回診順番情報と回診予定時刻情報とを表示する撮影装置表示手段と、当該移動型Ｘ線撮影装置における回診予定患者の回診順番ごとの回診状況を示す回診状況情報を入力することが可能な回診状況入力手段と、前記回診状況入力手段で入力された回診状況情報を記憶、またはこの回診状況情報を現在の時刻に関連づけて現在回診状況情報として記憶する回診状況記憶手段と、前記回診状況記憶手段に記憶されている、回診状況情報または現在回診状況情報を、前記回診情報通信手段を介して、前記集中管理装置に送信する制御を行う第２の回診情報制御手段と、を備えていることを特徴とするものである。
【００２０】
［作用・効果］請求項８の発明によれば、撮影装置表示手段は、集中管理装置から送信された患者情報と撮影条件情報と回診順番情報と回診予定時刻情報とを表示するので、これらの情報に基づいて回診（Ｘ線撮影）を行うことができる。つまり、回診予定計画が変更された場合でも、変更された回診予定計画に基づいた、回診を円滑に進めることができる。
【発明の効果】
【００２１】
回診に関連する回診情報を集中管理する集中管理装置と、移動が可能であり、Ｘ線撮影を行う複数の移動型Ｘ線撮影装置と、を備え、集中管理装置と複数の移動型Ｘ線撮影装置とは、無線により互いに情報を送受信する回診情報通信手段をそれぞれ備え、回診情報は、患者に関連する情報である患者情報と、移動型Ｘ線撮影装置ごとに定められる、回診予定患者がＸ線撮影を受ける順番である回診順番情報と、回診予定患者それぞれについての回診予定開始時刻と回診予定終了時刻とを示す回診予定時刻情報と、を含み、集中管理装置は、回診情報を入力可能とする入力手段と、入力手段により入力された回診情報を記憶する第１の回診情報記憶手段と、第１の回診情報記憶手段に記憶されている回診情報を表示する管理装置表示手段と、第１の回診情報記憶手段に記憶されている患者情報と回診順番情報と回診予定時刻情報とを関係する複数の移動型Ｘ線撮影装置に、回診情報通信手段を介して、送信する制御を行う第１の回診情報制御手段と、を備え、複数の移動型Ｘ線撮影装置は、集中管理装置から送信された患者情報と回診順番情報と回診予定時刻情報とを記憶する第２の回診情報記憶手段と、第２の回診情報記憶手段に記憶されている患者情報と回診順番情報と回診予定時刻情報とを表示する撮影装置表示手段と、当該移動型Ｘ線撮影装置における回診予定患者の回診順番ごとの回診状況を示す回診状況情報を入力することが可能な回診状況入力手段と、回診状況入力手段で入力された回診状況情報を記憶、またはこの回診状況情報を現在の時刻に関連づけて現在回診状況情報として記憶する回診状況記憶手段と、回診状況記憶手段に記憶されている、回診状況情報または現在回診状況情報を、回診情報通信手段を介して、集中管理装置に送信する制御を行う第２の回診情報制御手段と、を備え、集中管理装置は、  複数の移動型Ｘ線撮影装置から送信された回診状況情報を現在の時刻に関連づけて現在回診状況情報として記憶、または複数の移動型Ｘ線撮影装置から送信された現在回診状況情報を記憶する現在情報記憶手段と、第１の回診情報記憶手段に記憶されている回診順番情報および回診予定時刻情報と、現在情報記憶手段に記憶されている現在回診状況情報とを対比させて管理装置表示手段に表示させる制御を行う表示制御手段と、を備えているので、集中管理装置の表示制御手段により複数の移動型Ｘ線撮影装置における、回診順番情報および回診予定時刻情報と、回診状況情報とを対比させて管理装置表示手段に表示させる制御を行うことができるので、回診予定計画者は、この管理装置表示手段の表示を見ることで、複数の移動型Ｘ線撮影装置における現在の回診状況を把握することができる。したがって、複数ある移動型Ｘ線撮影装置のうち、回診していない状態である回診終了状態などの移動型Ｘ線撮影装置に、計画された回診を終了していないなど、回診が計画より遅れている状況の移動型Ｘ線撮影装置の回診を振り分けるように回診予定計画を変更することができ、複数ある移動型Ｘ線撮影装置を有効に活用し、複数ある移動型Ｘ線撮影装置のうち、一部の移動型Ｘ線撮影装置による回診の終了が遅くなることを減らし、Ｘ線撮影を伴った回診を円滑に進めることができる。
【実施例１】
【００２２】
実施例１の撮影情報管理システム及びこれに用いられる移動型Ｘ線撮影装置を図面に基づいて詳細に説明する。図１は撮影情報管理システムの構成を示すブロック図である。図２は集中管理装置１の構成を示すブロック図である。図３は移動型Ｘ線撮影装置２の構成を示すブロック図である。
【００２３】
撮影情報管理システムの構成について図１を用いて説明する。図１に示すように、撮影情報管理システムは、回診に関連する回診情報を集中管理する集中管理装置１と、移動が可能であり、Ｘ線撮影を行う複数の移動型Ｘ線撮影装置２とが備えられ、さらに、集中管理装置１は第１の回診情報通信部３、複数の移動型Ｘ線撮影装置２のそれぞれには、第２の回診情報通信部４を備え、この第１の回診情報通信部３と第２の回診情報通信部４とは、ＰＨＳ式の無線などにより互いに情報を送受信する構成となっている。また、この撮影情報管理システムは、病院構内で利用されるシステムであり、例えば、集中管理装置１は管理室５に配置され、複数の移動型Ｘ線撮影装置２は病院構内、例えば、病室，手術室，救急処置室などに移動させて使用するものである。なお、上述した、第１の回診情報通信部３と第２の回診情報通信部４とは本発明における回診情報通信手段に相当する。
【００２４】
さらに、この撮影情報管理システムは、複数の移動型Ｘ線撮影装置２の現在位置を監視する監視手段を備える構成となっている。この監視手段は、移動型Ｘ線撮影装置２に備えられ、この移動型Ｘ線撮影装置２の位置を示すための位置情報を送信する位置情報送信部６と、移動型Ｘ線撮影装置２が移動する病院構内の複数の所定箇所に備えられ、位置情報送信部６から送信された位置情報を受信する位置情報受信部７と、集中管理装置１に備えられ、複数の位置情報受信部７で受信した位置情報に基づいて、複数の移動型Ｘ線撮影装置２の現在位置を確定する現在位置確定部８とにより構成されている。
【００２５】
次に、集中管理装置１の構成について図２を用いて説明する。図２に示すように、集中管理装置１は、回診情報を入力可能とする管理装置入力部９と、集中管理する情報を記憶する管理装置情報記憶部１０と、管理装置情報記憶部１０に記憶されている情報を表示する管理装置表示部１１と、情報を制御する管理装置情報制御部１２と、管理装置情報記憶部１０に記憶されている情報を出力するプリンタ１３などの出力装置とを備えている構成となっている。
【００２６】
管理装置入力部９は、例えばキーボード１４やマウス１５などの入力装置が挙げられ、これらの管理装置入力部９で入力操作を行うことで回診情報を入力することが可能である。また、この回診情報には、患者Ｍに関連する情報である患者情報、移動型Ｘ線撮影装置２でＸ線撮影を行う撮影条件に関連する情報である撮影条件情報、移動型Ｘ線撮影装置２ごとに定められる、回診予定患者がＸ線撮影を受ける順番である回診順番情報、回診予定患者それぞれについての回診予定開始時刻と回診予定終了時刻とを示す回診予定時刻情報、移動型Ｘ線撮影装置２を移動するために必要な時間を示す移動時間情報がある。
【００２７】
管理装置情報記憶部１０は、種々のメモリからなる記憶装置であり、詳細には、管理装置入力部９により入力された回診情報を記憶する第１の回診情報メモリ１６と、複数の移動型Ｘ線撮影装置２から送信された回診状況情報を現在の時刻に関連づけて現在回診状況情報として記憶する現在情報メモリ１７と、複数の移動型Ｘ線撮影装置２でＸ線撮影により得られた撮影収集情報を記憶する第１の撮影収集情報メモリ１８を備えている。
【００２８】
管理装置情報制御部１２はＣＰＵであり、入力装置や記憶装置から種々の情報を受け取り、演算，加工した上で、出力装置、記憶装置、その他の装置に出力する制御を行うものであり、集中管理装置１全体の動作を司るものである。この管理装置情報制御部１２は、第１の回診情報メモリ１６に記憶されている患者情報と撮影条件情報と回診順番情報と回診予定時刻情報とを関係する複数の移動型Ｘ線撮影装置２に、第１の回診情報通信部３を介して、送信する制御を行う第１の回診情報制御部１９と、第１の回診情報メモリ１６に記憶されている回診順番情報および回診予定時刻情報と、現在情報メモリ１７に記憶されている現在回診状況情報とを対比させて管理装置表示部１１に表示させる制御を行う表示制御部２０と、複数の移動型Ｘ線撮影装置２の現在位置を確定し、この複数の移動型Ｘ線撮影装置２の現在位置を示す現在位置情報を現在情報メモリ１７に記憶させる制御を行う現在位置確定部８とを備えている。
【００２９】
管理装置表示部１１は、例えば、表示モニタなどの表示装置が挙げられ、表示制御装部の制御により、管理装置情報記憶部１０に記憶されている情報を表示されるように構成されている。
【００３０】
なお、上述した、管理装置入力部９は本発明における入力手段に相当し、第１の回診情報メモリ１６は本発明における第１の回診情報記憶手段に相当し、第１の回診情報制御部１９は本発明における第１の回診情報制御手段に相当し、現在情報メモリ１７は本発明における現在情報記憶手段に相当し、管理装置表示部１１は本発明における管理装置表示手段に相当し、表示制御部２０は本発明における表示制御手段に相当する。
【００３１】
次に、移動型Ｘ線撮影装置２の構成について図３を用いて説明する。図３に示すように、移動型Ｘ線撮影装置２は、電動および手動で移動可能な台車２１（図１参照）に、撮影対象としての寝台Ｂ上の患者（被検体）ＭにＸ線を照射するＸ線管２２と、患者Ｍを透過したＸ線を検出するＸ線検出部２３とを備え、このＸ線検出部２３で検出されたＸ線検出信号に基づいてＸ線撮影による情報を収集する構成となっている。
【００３２】
また、Ｘ線検出部２３とＸ線管２２とは患者Ｍを挟むように対向配置された状態であり、Ｘ線検出部２３は患者Ｍと寝台Ｂとの間に配置されており、さらに、Ｘ線検出部２３はＸ線検出素子が縦横に配列され、このＸ線検出素子により患者Ｍを透過したＸ線検出を行うフラットパネル検出器が用いられている。
【００３３】
さらに、移動型Ｘ線撮影装置２は、回診状況情報を入力することが可能な回診状況入力部２４と、情報を記憶する撮影装置情報記憶部２５と、情報を制御する撮影装置情報制御部２６と、撮影装置情報記憶部２５に記憶されている情報を表示する撮影装置表示部２７と、撮影装置情報記憶部２５に記憶されている情報を出力するプリンタ２８などの出力装置とを備えている構成となっている。
【００３４】
回診状況入力部２４は、例えばキーボード２９やマウス３０などの入力装置が挙げられ、回診状況入力部２４で入力操作を行うことで当該移動型Ｘ線撮影装置２における回診予定患者の回診順番ごとの回診状況を示す回診状況情報を入力することが可能である。
【００３５】
撮影装置情報記憶部２５は、種々のメモリからなる記憶装置であり、詳細には、集中管理装置１から送信された患者情報と撮影条件情報と回診順番情報と回診予定時刻情報とを記憶する第２の回診情報メモリ３１と、回診状況入力部２４で入力された回診状況情報を記憶する回診状況メモリ３２と、移動型Ｘ線撮影装置２で回診（Ｘ線撮影）により得られた撮影収集情報を記憶する第２の撮影収集情報メモリ３３とを備えている。
【００３６】
撮影装置情報制御部２６はＣＰＵであり、入力装置や記憶装置から種々の情報を受け取り、演算，加工した上で、出力装置、記憶装置、その他の装置に出力する制御を行うものであり、移動型Ｘ線撮影装置２全体の動作を司るものである。この撮影装置情報制御部２６は、回診状況メモリ３２に記憶されている回診状況情報を、第２の回診情報通信部４を介して、集中管理装置１に送信する制御を行う第２の回診情報制御部３４と、Ｘ線管２２からＸ線を照射させる制御を行うＸ線撮影制御部３５とを備えている。
【００３７】
撮影装置表示部２７は、例えば、表示モニタなどの表示装置が挙げられ、第２の回診情報制御部３４の制御により、第２の回診情報メモリ３１に記憶されている患者情報と撮影条件情報と回診順番情報と回診予定時刻情報とを表示するように構成されている。
【００３８】
なお、上述した、回診状況入力部２４本発明における回診状況入力手段に相当し、第２の回診情報メモリ３１は本発明における第２の回診情報記憶手段に相当し、回診状況メモリ３２は本発明における回診状況記憶手段に相当し、第２の回診情報制御部３４は本発明における第２の回診情報制御手段に相当し、撮影装置表示部２７は本発明における撮影装置表示手段に相当する。
【００３９】
次に、回診情報について、図４〜図７を用いて説明する。図４は患者情報および撮影条件情報の一例を表示した画面を示す模式図である。図５〜図６は回診順番情報、回診状況情報、回診予定時刻情報の一例を表示した画面を示す模式図である。図７は移動時間情報の一例を表示した画面を示す模式図である。回診情報には、患者情報、撮影条件情報、回診順番情報、回診予定時刻情報、移動時間情報があり、以下これら各情報について詳細に説明する。
【００４０】
（１）患者情報：患者ＩＤ番号，氏名，生年月日，性別，血液型，住所，病室，担当医があり、例えば、図４の上部にこれらの項目が表示されている。
【００４１】
（２）撮影条件情報：患者Ｍごとに行われるＸ線撮影条件（撮影部位，撮影方向，焦点距離（患者との距離）がある。例えば、図４の下部にこれらの項目が表示されている。なお、撮影部位，撮影方向，焦点距離が指定されることでＸ線管２２の管電圧、管電流時間積が求められる。
【００４２】
（３）回診順番情報：移動型Ｘ線撮影装置２ごとに行われる回診順番を示し、例えば、図５、図６に示す「Ｎｏ．」の欄に記載の１から８が回診順番１から８を示し、Ｎｏ．１の欄に記載された患者ＩＤ：００００５の患者Ｍから回診を始め、Ｎｏ．８の欄に記載された患者ＩＤ：０５３２５まで順番に回診を行うことを示す。
【００４３】
（４）回診予定時刻情報：回診予定患者それぞれについての回診予定開始時刻と回診予定終了時刻とを示し、例えば、図５、図６に示すＮｏ．１（回診順番１）の回診予定時刻欄に１０：００〜１０：３０のように表示され、回診予定開始時刻が１０：００であり、回診予定終了時刻が１０：３０であることを示す。
【００４４】
（５）移動時間情報：移動型Ｘ線撮影装置２を移動するために必要な時間を示す移動時間情報を示し、例えば、図７に示すＮｏ．１の欄では、移動型Ｘ線撮影装置２の現在位置である２１２号室から移動位置である３１３号室までの移動所要時間が７分必要であることを示す。
【００４５】
（６）回診状況情報：移動型Ｘ線撮影装置２において、各患者Ｍの回診が終了したことを示す情報である。
【００４６】
次に、撮影管理システムを用いた回診の流れについて、図８〜１３を用いて詳細に説明する。図８，図９は撮影管理システムを用いた回診の流れを示すフローチャートであり、図１０，図１１は移動型Ｘ線撮影装置２の回診予定と回診終了と対比表示した一例を表示したグラフ画面を示す模式図である。図１２は移動型Ｘ線撮影装置２の現在位置と回診予定箇所との一例を表示した画面を示した模式図である。図１３は回診予定変更画面の一例を示す模式図である。
【００４７】
ここで、図８のフローチャートによりステップＳ１〜Ｓ１１までを説明し、続けて図９のフローチャートによりステップＳ１２〜Ｓ１６までを説明する。
【００４８】
〔ステップＳ１〕移動型Ｘ線撮影装置２を用いた回診予定を計画する回診予定計画者により、集中管理装置１の管理装置入力部９（キーボード１４やマウス１５）で集中管理装置１の管理装置表示部１１に回診情報入力画面（図示省略）を表示させる入力操作を行い、さらに、回診情報（患者情報，撮影条件情報，回診順番情報，回診予定時刻情報，移動時間情報）を入力する。この管理装置入力部９により入力された回診情報は、第１の回診情報制御部１９の制御により第１の回診情報メモリ１６に記憶される。
【００４９】
〔ステップＳ２〕回診者（Ｘ線撮影技師）は、回診に使用予定の移動型Ｘ線撮影装置２の電源を投入し、移動型Ｘ線撮影装置２を動作可能な状態にする。次に、ステップＳ３およびステップＳ９に続く。
【００５０】
〔ステップＳ３〕集中管理装置１に記憶されている所定の回診情報である患者情報，撮影条件情報、回診順番情報，回診予定時刻情報を、回診者は、集中管理装置１の管理装置入力部９により複数の移動型Ｘ線撮影装置２のそれぞれに送信する送信指示操作を行う。この送信指示操作に基づいて、第１の回診情報制御部１９は、第１の回診情報通信部３を介して、関係する複数の移動型Ｘ線撮影装置２に患者情報，撮影条件情報，回診順番情報，回診予定時刻情報が送信される。
【００５１】
〔ステップＳ４〕複数の移動型Ｘ線撮影装置２は、集中管理装置１から送信された患者情報，撮影条件情報，回診順番情報，回診予定時刻情報を移動型Ｘ線撮影装置２の第２の回診情報通信部４で受信し、第２の回診情報制御部３４の制御により第２の回診情報メモリ３１に記憶する。
【００５２】
〔ステップＳ５〕回診者は、移動型Ｘ線撮影装置２のキーボード２９やマウス３０で移動型Ｘ線撮影装置２の撮影装置表示部２７に回診順番情報を表示させる入力操作を行い、例えば図５に示すような表示がされ、回診を行う回診日における回診が終了していない一番若い回診順番の患者Ｍ（この場合、回診順番１を示すＮｏ．１の患者ＩＤ００００５）やその回診予定時刻を確認し、患者Ｍのいる病室（Ｎｏ．１の場合１０３号室）などに移動する。さらに、回診者は患者情報および撮影条件情報を表示させ、例えば、図４に示される情報に基づいて回診（Ｘ線撮影）を実施する。なお、回診者がキーボード２９やマウス３０での入力操作により、表示された撮影条件情報に修正を加えることも可能である。
【００５３】
詳細には、このＸ線撮影は、表示された患者情報および撮影条件情報を確認し、さらに、図３に示す、キーボード２９やマウス３０でＸ線撮影の実施指示操作を行うことで、第２の回診情報制御部３４はＸ線撮影制御部３５に撮影条件情報を出力し、さらに、Ｘ線撮影制御部３５は、撮影条件情報に基づいた、管電圧，管電流時間積の値でＸ線を照射するようにＸ線管２２を制御する。さらに、患者Ｍを透過したＸ線がＸ線検出部２３で検出され、このＸ線検出部２３で検出されたＸ線検出信号がＸ線撮影制御部３５に入力され、Ｘ線検出信号の処理がされ、撮影収集情報が得られる。
【００５４】
〔ステップＳ６〕移動型Ｘ線撮影装置２での回診（Ｘ線撮影）により得られた患者Ｍの撮影収集情報は、Ｘ線撮影制御部３５および第２の回診情報制御部の制御により第２の撮影収集情報メモリ３３に記憶される。
【００５５】
〔ステップＳ７〕患者Ｍごと（一つの回診順番）の回診終了後、回診者は、移動型Ｘ線撮影装置２のキーボード２９やマウス３０の操作により、撮影装置表示部２７に、図５に示すような表示画面で、回診状況情報として、回診終了したことを示す情報を入力する。具体的には図５に示す画面において、回診が終了した患者Ｍの回診順番を示す番号をマウス３０でクリックすることで、回診が終了した回診順番（患者Ｍ）が選択され、さらに、「撮影終了」が表示されている部分を、マウス３０でクリックすることで、撮影終了が設定される、例えば、図６のＮｏ．１の「撮影」の欄に赤字で「撮影済み」（図面では黒色）と表示される。この時、回診者は、この回診について撮影終了設定して良いのか確認することになり、この設定に問題がある場合は、「取り消し」部分をマウス３０によりクリックすると、設定が取り消され、図６は元の表示に戻り、例えば、図５に示されるようなＮｏ．１の「撮影」の欄は空欄となる。また、この設定に問題がない場合は、「確定」部分をマウス３０によりクリックすることで、回診状況情報が入力され、この回診状況情報が第２の回診情報制御部３４の制御により回診状況メモリ３２に記憶される。なお、「撮影終了」の部分をマウス３０によりクリックする前に「確定」部分をマウス３０によりクリックしても、撮影終了の設定はできないようになっており、必ず、回診者が撮影終了の設定の確認するようになっており、撮影終了設定の間違いを低減するようになっている。
【００５６】
さらに、回診状況情報が入力されたことに基づいて移動型Ｘ線撮影装置２の第２の回診情報制御部３４は、回診状況メモリ３２に記憶されている回診状況情報および撮影収集情報を、第２の回診情報通信部４を介して、集中管理装置１に送信する制御を行う。また、第２の回診情報制御部３４の制御により、回診状況メモリ３２に記憶されている回診状況情報を撮影装置表示部２７で、図６に示すような最終的にＮｏ．１の「撮影」の欄に黒字で「撮影済み」と表示される。
【００５７】
〔ステップＳ８〕集中管理装置１の第１の回診情報制御部１９の制御により、移動型Ｘ線撮影装置２からの送信された回診状況情報を現在の時刻に関連づけて現在回診状況情報として現在情報メモリ１７に記憶および撮影収集情報を第１撮影収集情報メモリに記憶される。次に、ステップＳ１２に続く。
【００５８】
〔ステップＳ９〕移動型Ｘ線撮影装置２は動作可能状態になると、図１に示す位置情報送信部６から複数の移動型Ｘ線撮影装置２ごとに異なる周波数の電波（位置情報）を、これら移動型Ｘ線撮影装置２の現在の位置を示すために常時出力する。
【００５９】
〔ステップＳ１０〕位置情報受信部７は、病院構内の移動型Ｘ線撮影装置２が移動する箇所、例えば、病室，廊下，手術室，救急処置室などに配設され、この位置情報受信部７は、移動型Ｘ線撮影装置２から送信された電波（位置情報）を周波数や電界強度を示す電気信号に変換する処理をし、この電気信号（位置情報）を集中管理装置１の現在位置確定部８に出力する。さらに、現在位置確定部８は、一つまたは複数の位置情報受信部７からの電気信号（位置情報）を入力し、複数の位置情報受信部７から入力された場合は、これらを比較し、移動型Ｘ線撮影装置２の現在の位置を確定する。
【００６０】
〔ステップＳ１１〕現在位置確定部８は、確定した移動型Ｘ線撮影装置２の現在位置を示す現在位置情報を現在の時刻に関連づけて現在情報メモリ１７に記憶する。次にステップＳ１２に続く。
【００６１】
〔ステップＳ１２〕回診予定計画者は、集中管理装置１の管理装置入力部９で回診順番情報および回診予定時刻情報と、現在回診状況情報とを対比させて表示させる対比表示操作を行い、集中管理装置１の表示制御部２０は、第１の回診情報メモリ１６に記憶されている回診順番情報および回診予定時刻情報と、現在情報メモリ１７に記憶されている現在回診状況情報とを対比させて管理装置表示部１１に表示させる制御が行われる。例えば、回診順番情報および回診予定時刻情報と、現在回診状況情報とを対比させた表示として、移動型Ｘ線撮影装置２ごとに、回診予定（回診順番情報および回診予定時刻情報を示す）と回診終了（現在回診状況情報を示す）との二つのグラフを表示させ、これら二つのグラフを対比させるものがあり、具体的には、図１０に示すような、一つの回診が終了した場合に、回診予定と同じもの（回診予定と同じ長さ）を回診終了のグラフに表示するもの，図１１に示すような一つの回診に費やされた時間を回診終了のグラフに表示するものが挙げられる。なお、図１０および図１１の両方の画面を表示させる必要は無く、いずれか一方のみ表示させるようなものであってもよい。
【００６２】
図１０に示す回診予定と回診終了と対比表示したグラフ画面について、詳細に説明する。図１０には、移動型Ｘ線撮影装置２のＮｏ．１〜Ｎｏ．３についての回診予定と回診終了とを示すグラフ画面が表示され、例えば、Ｎｏ．１の移動型Ｘ線撮影装置における回診予定グラフには、下から上の縦方向（縦軸）に向かって回診順番１から８を示す１〜８が表示され、回診終了グラフには、下から上の縦方向（縦軸）に向かって回診順番１〜６の終了した回診（回診予定のグラフに記載された回診と同じ長さ（時間）のもの）が表示されている。また、回診予定グラフの左側には、時間を示す文字および目盛りが表示され、回診予定グラフに描かれている斜線（この場合は回診順番１〜６まで）は、この表示に従った現在の時刻（この場合１３：２０）を表示している。つまり、斜線で示されている部分は、予定では現在の時刻において、回診が終了していることを示している。また、回診終了グラフでは、回診順番６の回診まで終了していることがわかり、したがって、Ｎｏ．１の移動型Ｘ線撮影装置２は、回診予定どおりに回診が実行されていることがわかる。なお、図１０では、Ｎｏ．１〜Ｎｏ．３の移動型Ｘ線撮影装置２について表示しているが、その他の表示させたい番号の移動型Ｘ線撮影装置２について表示することが可能である。
【００６３】
図１１に示す回診予定と回診終了と対比表示したグラフ画面について、詳細に説明する。図１１には、移動型Ｘ線撮影装置２のＮｏ．１〜Ｎｏ．３についての回診予定と回診終了とを示すグラフ画面が表示されているが、例えば、Ｎｏ．１の移動型Ｘ線撮影装置２における回診終了グラフには、下から上の縦方向（縦軸）に向かって回診順番１〜６の終了した回診が表示されているが、図１０とは異なり、回診順番１〜６のそれぞれの回診に費やした時間を表示されている。ここで、回診予定と回診終了とのグラフを対比、つまり回診順番６の回診を対比すると、回診予定と回診終了とは、同じ時刻に表示されているので、回診予定どおりに回診が実行されていることがわかる。
【００６４】
なお、図１０，図１１では、回診予定時刻として、１０時から１４時1０分までの時間について表示をしているが、これ以外の時間について、回診予定時刻とするようにしてもよい。
【００６５】
また、回診予定計画者は、集中管理装置１の入力部で、現在位置情報と、移動時間情報とを表示させる表示操作を行い、表示制御部２０は、現在情報メモリ１７に記憶されている現在位置情報と、第１の回診情報メモリ１６に記憶されている移動時間情報とを管理装置表示部１１に表示させる制御が行われる。例えば、現在位置情報が表示された一例として、図１２に示すような表示があり、移動時間情報が表示された一例として、図７に示すような表示がある。
【００６６】
図１２に示す移動型Ｘ線撮影装置２の現在位置と回診予定箇所とを表示した画面について詳細に説明する。図１２には、病院構内の２階および３階のフロアについての移動型Ｘ線撮影装置２の現在位置と回診予定箇所とが示されている。この場合、移動型Ｘ線撮影装置２のＮＯ．２（移動型Ｘ線撮影装置２を示す図）は、２１２号室にある。また、２０１号室には、「２−１」，「２−２」の表示がされており、これら表示は「移動型Ｘ線撮影装置の番号―回診順番」を示すものであり、「２−１」は、移動型Ｘ線撮影装置２のＮＯ．２の回診順番１である患者Ｍが２０１号室に存在することを示すものである。なお、図１２では、病院構内の２階および３階のフロアについて表示しているが、その他の表示させたいフロアについて表示することが可能である。
【００６７】
〔ステップＳ１３〕回診予定計画者は、管理装置表示部１１で表示される図１０または図１１に示される表示画面を見て、回診予定（回診順番）の変更が必要であるか否かを判断する。例えば、ここで、図１０，図１１で示される、現在時刻における移動型Ｘ線撮影装置２のＮｏ．２〜Ｎｏ．３において、一方の移動型Ｘ線撮影装置２のＮｏ．２では、回診順番１〜９の全ての回診を終了した状態であり、他方の移動型Ｘ線撮影装置２のＮｏ．３では、回診順番１〜１１のうち回診順番７までの回診しか終了されておらず、回診順番８〜１１の回診が残っている状態である。ここで、回診予定計画者は、回診を終了した移動型Ｘ線撮影装置２のＮｏ．２を有効に活用し、移動型Ｘ線撮影装置２のＮｏ．３の回診の終了が遅くなることを防ぐために、移動型Ｘ線撮影装置２のＮｏ．３の回診順番８〜１１について、回診を終了した移動型Ｘ線撮影装置２のＮｏ．２に振り分ける回診予定の変更を行うことを必要とする判断を行うことができる。
【００６８】
さらに、回診予定計画者は、管理装置表示部１１で表示される図７および図１２に示される表示画面を見て、複数の移動型Ｘ線撮影装置２の現在位置情報と移動時間情報とを考慮し、回診予定計画を変更することができる。具体的には、回診予定計画者は、上述した図１０，図１１に示された移動型Ｘ線撮影装置２のＮｏ．３の回診順番８〜１１における患者Ｍの病室を図１２により把握することができる。詳細には、移動型Ｘ線撮影装置２のＮｏ．３の回診順番８〜９の患者Ｍは３０８号室におり、移動型Ｘ線撮影装置２のＮｏ．３の回診順番１０〜１１の患者Ｍは３１３号室にいることがわかる。さらに、図７により移動型Ｘ線撮影装置２のＮｏ．２の現在位置である２１２号室から３１３号室までの移動所要時間を確認することができる。ここで、移動型Ｘ線撮影装置２が移動するための移動所要時間やこの移動型Ｘ線撮影装置２のＮｏ．３は、現在３０７号室にあることを考慮した結果、移動型Ｘ線撮影装置２のＮｏ．３は、続けて隣の３０８号室での回診順番８〜９の回診を行い、移動型Ｘ線撮影装置２のＮｏ．３の回診順番１０〜１１の回診を、全ての回診が終了した移動型Ｘ線撮影装置２のＮｏ．２に振り分ける回診予定の変更を行うことで、回診を円滑に進めることができるとする判断を行うことができる。
【００６９】
このように、回診予定の変更が必要である場合はステップＳ１４に進み、回診予定の変更が必要無い場合はステップＳ１６に進む。
【００７０】
〔ステップＳ１４〕回診予定計画者は、移動型Ｘ線撮影装置２の回診順番情報と回診予定変更画面を表示させる表示操作を管理装置入力部９で行い、例えば、図１３に示すような回診予定変更画面を第１の回診情報制御部１９を介して、表示制御部２０により表示させる。
【００７１】
図１３に示す回診予定変更画面について詳細に説明する。画面上部には、回診順番情報を示す画面が表示され、画面下部には回診順番を設定変更する設定変更画面が表示されている。まず、回診予定計画者は、回診順番情報画面で移動型Ｘ線撮影装置２のそれぞれの回診順番を確認し、さらに、設定変更画面において、「現在の回診予定」の下側にある「Ｘ線撮影装置」および「回診順番」のそれぞれの番号入力箇所をマウスでクリックし、振り分け元となる現在の回診予定を示す番号をキーボードにより入力する。この場合、「移動型Ｘ線撮影装置」はＮｏ．３で、「回診順番」は回診順番１０の現在の回診が入力されたことなる。さらに、これら２つの番号が入力されると、最下部に回診予定患者のＩＤ番号が表示され、「Ｘ線撮影装置」および「回診順番」の入力が間違っていないかを回診予定患者のＩＤ番号により確認することができる。次に、「現在の回診予定」の右側にある「変更後の回診予定」下側にある「Ｘ線撮影装置」および「回診順番」のそれぞれの番号入力箇所をマウスでクリックし、振り分け先（新たに回診予定とする）番号を入力する。例えば、移動型Ｘ線撮影装置２のＮｏ．２で予定された回診順番１〜９の回診があり、この回診以降に予定をする場合は、その次の番号１０を「回診順番」に入力する。
【００７２】
ここで、「現在の回診予定」および「変更後の回診予定」の入力をした後、「設定」の部分をマウスによりクリックすると、回診順番情報画面の移動型Ｘ線撮影装置Ｎｏ．２の欄には、「→１０［１５４２２］」が追加され、移動型Ｘ線撮影装置Ｎｏ．３の欄には、「→１０［１５４２２］」が削除され、元「１１［１５００３］」であったものが「１０［１５００３］」のようにスライドして表示され、これら変更された箇所が赤字（図では黒色）で表示される。この時、回診予定計画者は、設定（表示）された回診予定の変更で良いか確認することになる。また、この設定に問題がある場合は、「取り消し」部分をマウスによりクリックすると、設定が取り消され、回診順番情報画面は元の表示に戻る。また、この設定に問題がない場合は、「確定」部分をマウスによりクリックし、最終的に回診予定が変更され、回診順番情報画面にて変更された箇所は黒字になる。なお、「設定」の部分をマウスによりクリックする前に「確定」部分をマウスによりクリックしても回診予定の変更はできないようになっており、必ず、回診予定計画者が回診予定の変更の内容（情報）を確認するようになっており、回診予定変更の間違いを低減するようになっている。
【００７３】
さらに、「確定」部分をマウスによりクリックすることで、第１の回診情報制御部１９の制御により回診予定の変更の情報（回診順番情報と回診予定時刻情報）が第１の回診情報メモリ１６に記憶され、集中管理装置１の第１の回診情報制御部１９により、第１の回診情報メモリ１６に記憶されている患者情報と撮影条件情報と回診順番情報と回診予定時刻情報とを関係する複数の移動型Ｘ線撮影装置２に、回診情報通信部を介して、送信する制御が行われる。
【００７４】
〔ステップＳ１５〕回診予定（回診順番情報，回診予定時刻情報）が変更された複数の移動型Ｘ線撮影装置２は、集中管理装置１から送信された患者情報と撮影条件情報と回診順番情報と回診予定時刻情報とを移動型Ｘ線撮影装置２の第２の回診情報通信部４で受信し、第２の回診情報制御部３４の制御により第２の回診情報メモリ３１に記憶する。
【００７５】
〔ステップＳ１６〕予定された回診を全て実施したか否かを判断する。実施されていない回診がある場合は、ステップＳ５に戻る。また、全ての回診が終了した場合はこの処理を終了する。
【００７６】
上述したように、撮影情報管理システムによれば、集中管理装置１の表示制御部２０により複数の移動型Ｘ線撮影装置２における、回診順番情報および回診予定時刻情報と、現在回診状況情報とを対比させて管理装置表示部１１に表示させる制御を行うことができるので、回診予定計画者は、この管理装置表示部１１の表示を見ることで、複数の移動型Ｘ線撮影装置２における現在の回診状況を把握することができる。したがって、複数ある移動型Ｘ線撮影装置２のうち、回診していない状態である回診終了状態などの移動型Ｘ線撮影装置２に、計画された回診を終了していないなど、回診が計画より遅れている状況の移動型Ｘ線撮影装置２の回診を振り分けるように回診予定計画を変更することができ、複数ある移動型Ｘ線撮影装置２を有効に活用し、複数ある移動型Ｘ線撮影装置２のうち、一部の移動型Ｘ線撮影装置２による回診の終了が遅くなることを減らし、Ｘ線撮影を伴った回診を円滑に進めることができる。
【００７７】
また、集中管理装置１の表示制御部２０により現在位置情報と移動時間情報とを管理装置表示部１１に表示させる制御を行うことができるので、回診予定計画者は、この管理装置表示部１１の表示を見ることで、現在位置情報と移動時間情報とを考慮して回診予定計画を変更することができる。つまり、回診が計画より遅れている状況の移動型Ｘ線撮影装置２の回診に費やす時間を少なくした最適な回診予定計画として変更することができる。したがって、移動型Ｘ線撮影装置２による回診の終了が遅くなることを減らし、Ｘ線撮影を伴った回診を円滑に進めることができる。
【００７８】
また、集中管理装置１の第１の回診情報メモリ１６に記憶されている撮影条件情報を移動型Ｘ線撮影装置２の第２の回診情報メモリ３１で記憶し、さらに、撮影装置表示部２７で表示することができるので、回診者は、撮影条件情報などが記載された撮影指示書などを見る必要がなく、また、移動型Ｘ線撮影装置２に撮影条件情報を設定するための入力を行う必要がなくなる。つまり、回診者は、移動型Ｘ線撮影装置２に撮影条件情報を設定するための手間を省くことができ、さらに、撮影条件情報に基づいた正確な回診（Ｘ線撮影）を実施することができる。
【００７９】
また、上述したように、移動型Ｘ線撮影装置２によれば、撮影装置表示部２７は、集中管理装置１から送信された患者情報と撮影条件情報と回診順番情報と回診予定時刻情報とを表示するので、これらの情報に基づいて回診（Ｘ線撮影）を行うことができる。つまり、回診予定計画が変更された場合でも、変更された回診予定計画に基づいた、回診を円滑に進めることができる。
【実施例２】
【００８０】
実施例２の撮影情報管理システム及びこれに用いられる移動型Ｘ線撮影装置２は、上述した実施例１とは異なり、集中管理装置１で自動的に複数の移動型Ｘ線撮影装置２における現在の回診状況を把握し、この現在の回診状況から最適な回診予定を随時変更するものである。
【００８１】
ここで、実施例２での集中管理装置１以外については、実質的に実施例１に記載の構成と同様であるので、実施例１と共通する点の説明は省略し、相違する点のみを説明する。
【００８２】
実施例２の撮影情報管理システム及びこれに用いられる移動型Ｘ線撮影装置２を図面に基づいて詳細に説明する。図１４は実施例２での集中管理装置１の構成を示すブロック図である。図１４に示すように、実施例２の集中管理装置１は、第１の回診情報メモリ１６に記憶されている回診情報と、現在情報メモリ１７に記憶されている現在位置情報と回診状況情報とに基づいて、第１の回診情報メモリ１６に記憶されている複数の移動型Ｘ線撮影装置２のそれぞれに対応する回診順番情報と回診予定時刻情報とを変更する制御を行う回診変更制御部３６と、第１の回診情報メモリ１６に記憶されている回診順番情報と回診予定時刻情報とが変更されたことに基づいて、この回診順番情報と回診予定時刻情報と患者情報と撮影条件情報とを、関係する複数の移動型Ｘ線撮影装置２に、回診情報通信部を介して、送信する制御を行う第１の回診情報制御部１９と、を備えた構成となっている。
【００８３】
また、実施例２では、実施例１とは異なり、第１の回診情報メモリ１６に記憶されている回診順番情報および回診予定時刻情報と、現在情報メモリ１７に記憶されている回診状況情報とを対比させて管理装置表示部１１に表示させる制御を行う表示制御部２０を備えていない構成となっている。
【００８４】
次に、実施例２の撮影管理システムを用いた回診変更制御部での回診順番情報と回診予定時刻情報とを変更する制御の流れについて、図１５を用いて詳細に説明する。図１５は、回診変更制御部３６での回診順番情報と回診予定時刻情報とを変更する制御の流れを示すフローチャートである。
【００８５】
〔ステップＴ１〕集中管理装置１の回診変更制御部３６は、回診が予定より遅れている移動型Ｘ線撮影装置２が有るか否かを判断する。具体的には、回診変更制御部３６は、第１の回診情報メモリ１６に記憶されている回診情報（回診順番情報および回診予定時刻情報）と現在情報メモリ１７に記憶されている回診状況情報とを読み出し、これらを比較する。例えば、比較した結果が、予定された回診より３０分以上遅れている場合に、このステップＴ１で回診が予定より遅れていると判断するように設定されている。予定より遅れている移動型Ｘ線撮影装置２が有ると判断されるとステップＴ２に進み、予定より遅れている移動型Ｘ線撮影装置２がないと判断されるとステップＴ５に進む。
【００８６】
〔ステップＴ２〕回診変更制御部３６は、予定された回診が全て終了した移動型Ｘ線撮影装置２が有るか否かを判断する。具体的には、回診変更制御部３６は、現在情報メモリ１７に記憶されている回診状況情報を読み出し、予定された回診が全て終了した移動型Ｘ線撮影装置２が有るか否かを判断する。ここで、予定された回診が全て終了した移動型Ｘ線撮影装置２が有ると判断された場合は、ステップＴ３に進み、予定された回診が全て終了した移動型Ｘ線撮影装置２が無いと判断された場合は、ステップＴ５に進む。
【００８７】
〔ステップＴ３〕回診変更制御部３６は回診予定の変更の内容を決定する。具体的には、回診変更制御部３６は、ステップＴ１で回診が予定より遅れていると判断された移動型Ｘ線撮影装置２の残っている回診（残回診）を、ステップＴ２で判断された予定された回診が全て終了した移動型Ｘ線撮影装置２に振り分けるように決定する。ここで、回診変更制御部３６は、回診が予定より遅れていると判断された移動型Ｘ線撮影装置２が複数有る場合には、予定された回診の遅れが最も長い移動型Ｘ線撮影装置２の回診から優先的に振り分けるように制御し、また、残回診のうち何れの回診を振り分けるかは、それぞれの移動型Ｘ線撮影装置２の現在位置情報と移動時間情報とから最も回診に費やす時間が短くなるものを選択するように制御する。さらに、回診変更制御部３６は、第１の回診情報制御部１９に回診予定の変更の情報を出力する。
【００８８】
〔ステップＴ４〕第１の回診情報制御部１９は回診変更制御部３６から入力された回診予定の変更の情報（回診順番情報と回診予定時刻情報）を、この第１の回診情報制御部１９の制御により第１の回診情報メモリ１６に記憶し、第１の回診情報メモリ１６に記憶されている患者情報と撮影条件情報と回診順番情報と回診予定時刻情報とを関係する複数の移動型Ｘ線撮影装置２に、回診情報通信部を介して、送信する制御が行われる。
【００８９】
〔ステップＴ５〕回診予定の全てを実施したか否かを判断する。まだ実施されていない回診がある場合は、ステップＳ５に戻る。また、全て終了した場合はこの処理を終了する。
【００９０】
上述したように、撮影情報管理システムによれば、集中管理装置１の回診変更制御部３６により回診情報と回診状況情報とに基づいて、複数の移動型Ｘ線撮影装置２のそれぞれに対応する回診順番情報と回診予定時刻情報とを変更する制御が行われるので、集中管理装置１が自動的に、複数の移動型Ｘ線撮影装置２における現在の回診状況を把握し、複数ある移動型Ｘ線撮影装置２のうち、回診していない状態である回診終了状態などの移動型Ｘ線撮影装置２に、計画された回診を終了していないなど、回診が計画より遅れている状況の移動型Ｘ線撮影装置２の回診を振り分けるように回診予定計画を変更することができ、複数ある移動型Ｘ線撮影装置２を有効に活用し、複数ある移動型Ｘ線撮影装置２のうち、一部の移動型Ｘ線撮影装置２による回診の終了が遅くなることを減らし、Ｘ線撮影を伴った回診を円滑に進めることができる。
【００９１】
また、集中管理装置１の回診変更制御部３６により移動時間情報を含む回診情報と現在位置情報と回診状況情報とに基づいて、複数の移動型Ｘ線撮影装置２のそれぞれに対応する回診順番情報と回診予定時刻情報とを変更する制御が行われるので、集中管理装置１は、移動時間情報と現在位置情報とを考慮して自動的に回診予定計画を変更することができる。つまり、回診が計画より遅れている状況の移動型Ｘ線撮影装置２の回診に費やす時間を少なくした最適な回診予定計画として変更することができる。したがって、移動型Ｘ線撮影装置２による回診の終了が遅くなることを減らし、Ｘ線撮影を伴った回診を円滑に進めることができる。
【００９２】
また、第１の回診情報メモリ１６に記憶されている回診順番情報と回診予定時刻情報とが変更されたことに基づいて、集中管理装置の第１の回診情報メモリ１６に記憶されている撮影条件情報を移動型Ｘ線撮影装置２の第２の回診情報メモリ３１で記憶し、さらに、撮影装置表示部２７で表示することができるので、回診者は、撮影条件情報などが記載された撮影指示書などを見る必要がなく、また、移動型Ｘ線撮影装置２に撮影条件情報を設定するための入力を行う必要がなくなる。つまり、回診者は、移動型Ｘ線撮影装置２に撮影条件情報を設定するための手間を省くことができ、さらに、撮影条件情報に基づいた正確な回診（Ｘ線撮影）を実施することができる。
【００９３】
また、上述したように、移動型Ｘ線撮影装置２によれば、撮影装置表示部２７は、集中管理装置１から送信された患者情報と撮影条件情報と回診順番情報と回診予定時刻情報とを表示するので、これらの情報に基づいて回診（Ｘ線撮影）を行うことができる。つまり、回診予定計画が変更された場合でも、変更された回診予定計画に基づいた、回診を円滑に進めることができる。
【００９４】
この発明は、上記実施形態に限られることはなく、下記のように変形実施することができる。
【００９５】
（１）上述した実施例１において、回診順番情報および回診予定時刻情報と、回診状況情報、さらに現在位置情報と移動時間情報とに基づいて回診予定の変更をするようにしていたが、現在位置情報と移動時間情報と用いず、回診順番情報および回診予定時刻情報と、回診状況情報とのみに基づいて回診予定の変更をするようにしてもよい。
【００９６】
（２）上述した実施例２において、回診変更制御部３６は、回診が予定より遅れていると判断された移動型Ｘ線撮影装置２の残回診のうち何れの回診を振り分けるかは、それぞれの移動型Ｘ線撮影装置２の現在位置情報と移動時間情報とから最も回診に費やす時間が短くなるものを選択するように制御したが、移動型Ｘ線撮影装置２の現在位置情報と移動時間情報とを考慮せず、例えば、回診順番が一番後の回診を振り分けるようにしてもよい。
【００９７】
（３）上述した実施例１，２において、集中管理装置１の入力部から回診情報を入力するようにしていたが、集中管理装置１を病院関係者が集まるナースステーション内などにあるコンピュータと接続し、さらに、このコンピュータは、キーボード、マウス、表示モニタ、プリンタなどを接続するようにしてもよい。したがって、病院関係者がナースステーションのコンピュータのキーボードやマウスで入力操作を行うことで、集中管理装置１で集中管理されている必要な回診情報の入力を行い、さらに、回診情報を読み出し、表示モニタに表示させ、プリンタによりプリンタ用紙に出力せることを可能とする。その結果、ナースステーションの近辺で、緊急に移動型Ｘ線撮影装置２を使用する必要が生じた場合や逆に使用中止になった場合など回診予定計画に変更する必要が生じた場合に、すぐに集中管理装置１以外のナースステーションなどから回診情報の入力を行い、この変更された回診予定計画に基づいた回診を行うことができる。したがって、移動型Ｘ線撮影装置２を使用した回診を円滑に進めることができる。
【００９８】
（４）上述した実施例１において、急患が発生した場合など、緊急に移動型Ｘ線撮影装置２を使用する必要が生じた場合は、集中管理装置１やナースステーションなどで、回診順番情報および回診予定時刻情報と、回診状況情報とを対比させた表示を見て回診に費やす時間が少ない移動型Ｘ線撮影装置２を選択し、この移動型Ｘ線撮影装置２でＸ線撮影を行うようにしてもよい。さらに、現在位置情報と移動時間情報とを考慮して、緊急にＸ線撮影を行う移動型Ｘ線撮影装置２を選択するようにしてもよい。
【００９９】
（５）上述した実施例２において、集中管理装置１の回診変更制御部３６は、第１の回診情報メモリ１６に記憶されている回診情報（回診順番情報および回診予定時刻情報）と現在情報メモリ１７に記憶されている回診状況情報と比較した結果が、予定された回診より３０分以上遅れている場合（基準）に、このステップＴ１で回診が予定より遅れていると判断するように設定としたが、適宜、基準となる時間を設定するようにしてもよい。
【０１００】
（６）上述した実施例１、２において、移動型Ｘ線撮影装置２は、Ｘ線管２２から照射されたＸ線が患者Ｍを透過し、このＸ線を検出するＸ線検出部２３としてフラットパネル検出器を備える構成になっていたが、フラットパネル検出器の代わりにフィルムカセッテを備えるようにし、Ｘ線管２２からＸ線を照射すると、フィルムカセッテ中のフィルムが露光されてＸ線撮影が行われる構成とするようにしてもよい。
【０１０１】
（７）上述した実施例１、２において、移動型Ｘ線撮影装置２でのＸ線撮影は、集中管理装置１からの撮影条件情報に基づいて実施されるようになっていたが、回診者がキーボード２９やマウス３０での入力操作により、表示された撮影条件情報に修正を加え、この修正後の撮影条件情報に基づいて、Ｘ線撮影が行われる構成とするようにしてもよい。
【０１０２】
（８）上述した実施例１、２において、回診情報は、撮影条件情報を含むようにしていたが、回診情報を撮影条件情報を含まないものとするようにしてもよい。
【０１０３】
（９）上述した実施例１、２において、移動型Ｘ線撮影装置２の回診状況メモリ３２は、回診状況入力部２４で入力された回診状況情報を記憶し、第２の回診情報制御部３４は、回診状況メモリ３２に記憶されている回診状況情報を、第２の回診情報通信部４を介して、集中管理装置１に送信する制御を行い、集中管理装置１の現在情報メモリ１７は、複数の移動型Ｘ線撮影装置２から送信された回診状況情報を現在の時刻に関連づけて現在回診状況情報として記憶するようにしていたが、移動型Ｘ線撮影装置２の回診状況メモリ３２は、回診状況情報を現在の時刻に関連づけて現在回診状況情報として記憶し、第２の回診情報制御部３４は、回診状況メモリ３２に記憶されている現在回診状況情報を、第２の回診情報通信部４を介して、集中管理装置１に送信する制御を行い、集中管理装置１の現在情報メモリ１７は、この現在回診状況情報を記憶するようにしてもよい。
【図面の簡単な説明】
【０１０４】
【図１】撮影情報管理システムの構成を示すブロック図である。
【図２】実施例１の集中管理装置の構成を示すブロック図である。
【図３】移動型Ｘ線撮影装置の構成を示すブロック図である。
【図４】患者情報および撮影条件情報の一例を表示した画面を示す模式図である。
【図５】回診順番情報、回診状況情報、回診予定時刻情報の一例を表示した画面を示す模式図である。
【図６】回診順番情報、回診状況情報、回診予定時刻情報の一例を表示した画面を示す模式図である。
【図７】移動時間情報の一例を表示した画面を示す模式図である。
【図８】撮影管理システムを用いた回診の流れを示すフローチャートである。
【図９】撮影管理システムを用いた回診の流れを示すフローチャートである。
【図１０】移動型Ｘ線撮影装置の回診予定と回診終了と対比表示した一例を表示したグラフ画面を示す模式図である。
【図１１】移動型Ｘ線撮影装置の回診予定と回診終了と対比表示した一例を表示したグラフ画面を示す模式図である。
【図１２】移動型Ｘ線撮影装置の現在位置と回診予定箇所との一例を表示した画面を示した模式図である。
【図１３】回診予定変更画面の一例を示す模式図である。
【図１４】実施例２の集中管理装置の構成を示すブロック図である。
【図１５】回診変更制御部３６での回診順番情報と回診予定時刻情報とを変更する制御の流れを示すフローチャートである。
【符号の説明】
【０１０５】
１  …集中管理装置
２  …移動型Ｘ線撮影装置
３  …第１の回診情報通信部（回診情報通信手段）
４  …第２の回診情報通信部（回診情報通信手段）
６  …位置情報送信部（監視手段）
７  …位置情報受信部（監視手段）
８  …現在位置確定部（監視手段）
９  …管理装置入力部（入力手段）
１１  …管理装置表示部（管理装置表示手段）
１６  …第１の回診情報メモリ（第１の回診情報記憶手段）
１７  …現在情報メモリ（現在情報記憶手段）
１９  …第１の回診情報制御部（第１の回診情報制御手段）
２０  …表示制御部（表示制御手段）
２４  …回診状況入力部（回診状況入力手段）
２７  …撮影装置表示部（撮影装置表示手段）
３１  …第２の回診情報メモリ（第２の回診情報記憶手段）
３２  …回診状況メモリ（回診状況記憶手段）
３４  …第２の回診情報制御部（第２の回診情報制御手段）
３６  …回診変更制御部（回診変更制御手段）
【図１】
2006340788.tif 000003
【図２】
2006340788.tif 000004
【図３】
2006340788.tif 000005
【図４】
2006340788.tif 000006
【図５】
2006340788.tif 000007
【図６】
2006340788.tif 000008
【図７】
2006340788.tif 000009
【図８】
2006340788.tif 000010
【図９】
2006340788.tif 000011
【図１０】
2006340788.tif 000012
【図１１】
2006340788.tif 000013
【図１２】
2006340788.tif 000014
【図１３】
2006340788.tif 000015
【図１４】
2006340788.tif 000016
【図１５】
2006340788.tif 000017